(57)【特許請求の範囲】
【請求項１】
上縁周端にカール部が形成された筒状の胴部と，上記胴部の下端にその下面を閉鎖するように設けられた底部と，上記胴部の外側との間に断熱空間を形成するように上記胴部に被せられ，かつ固定された外筒と，上記カール部に接着され，上記胴部の上面を閉鎖する蓋材とを備える二重容器において，
上記外筒に切取線が形成されており，上記切取線に沿って上記外筒から完全にまたは部分的に切取られて，上記カール部から部分的に剥がされた蓋材の縁部を上記カール部に留めるために用いられるクリップ片，および
上記外筒から上記クリップ片が切取られることで上記外筒に形成される切取孔の内側に設けられる保護片を備えている，
二重容器。
【請求項２】
上記保護片が，上記切取線の周囲において上記外筒の内面に接着されている，請求項１に記載の二重容器。
【請求項３】
上記保護片が上記外筒の縁部に連設されている，請求項１に記載の二重容器。
【請求項４】
上記保護片が上記外筒の内側に折り返されている，請求項３に記載の二重容器。
【請求項５】
上縁周端にカール部が形成された筒状の胴部と，上記胴部の下端にその下面を閉鎖するように設けられた底部と，上記カール部に接着され，上記胴部の上面を閉鎖する蓋材とを備える内容器とともに用いられ，上記内容器の胴部の外側との間に断熱空間を形成するように上記胴部に被せられ，かつ固定された外筒であって，
上記外筒に切取線が形成されており，上記切取線に沿って上記外筒から完全にまたは部分的に切取られて，上記カール部から部分的に剥がされた蓋材の縁部を上記カール部に留めるために用いられるクリップ片，および
上記外筒から上記クリップ片が切取られることで上記外筒に形成される切取孔の内側に設けられる保護片を備えている，
外筒。
【発明の詳細な説明】
【技術分野】
【０００１】
この発明は二重容器に関し，詳しくは，一旦開封した蓋材を再び閉じてその状態をしばらくとどめる（簡易に再封する）ことができる二重容器に関する。
【背景技術】
【０００２】
上端開口部を蓋材によって閉じた容器がある。このような容器の中には，途中まで剥がした蓋材を，再び，典型的には一時的に元に戻す（蓋材で開口を再封する）ことが望まれるものがある。たとえば，カップ入りインスタント麺では蓋材が途中まで剥がされ，半分程度開口したカップ開口部からカップ内にお湯が注がれる。半分程度剥がされた蓋材はカップ開口部を簡易に再封するために用いられ，所定時間後に完全に剥がされる。お菓子等が入った容器についても，食べ残しがある場合に途中まで剥がした蓋材を元に戻してカップ開口部を簡易に再封することがある。
【０００３】
特許文献１は，蓋材の周縁の対向する２箇所に切込みノッチが形成されたタブを設け，このタブの切込みノッチにカップのフランジ部を挟むことで，カップを再封するものを記載する。
【先行技術文献】
【特許文献】
【０００４】
【特許文献１】特開２００１−１８０７３７号公報
【０００５】
特許文献１に記載のカップにおいて，蓋材の周縁部に形成されたタブは蓋材を剥がすときのつまみとしても用いられる。タブに切込みノッチが形成されているので，蓋材を剥がすときに切込みノッチに沿ってタブが蓋材から引きちぎれてしまうおそれがある。
【発明の開示】
【０００６】
この発明は，胴部に外筒を被せた二重容器に適する，開口部の再封構造を提供することを目的とする。
【０００７】
この発明はまた，二重容器の安全性を向上することおよび断熱性の低下を防止することを目的とする。
【０００８】
この発明による二重容器は，上縁周端にカール部が形成された筒状の胴部と，上記胴部の下端にその下面を閉鎖するように設けられた底部と，上記胴部の外側との間に断熱空間を形成するように上記胴部に被せられ，かつ固定された外筒と，上記カール部に接着され，上記胴部の上面を閉鎖する蓋材とを備えるもので，上記外筒に切取線が形成されており，上記切取線に沿って外筒から完全にまたは部分的に切取られて，上記カール部から部分的に剥がされた蓋材の縁部を上記カール部に留めるために用いられるクリップ片，および上記外筒から上記クリップ片が切取られることで上記外筒に形成される切取孔の内側に設けられる保護片を備えていることを特徴とする。
【０００９】
胴部の上端は開口しており，胴部内に内容物が収容された後に，蓋材が胴部の上縁周端に形成されているカール部に接着されて，上端開口が閉じられる。胴部は一般には下部よりも上部の径がやや大きい円筒状であるが，縦方向に一定の径を持つものであってもよいし，断面が多角形の角筒状であってもよい。胴部および底部の内面には必要に応じて樹脂膜などが設けられる。
【００１０】
外筒に形成される切取線は，たとえば複数の切込み線を短いつなぎ部でつなげたもの，複数の切込み線を間欠的に結ぶミシン目などによって実現される。
【００１１】
外筒に形成される切取線に沿って外筒からクリップ片が切り取られる。外筒は内容物を直接に収容するものではなく，胴部の外側に被せられるものであるから，外筒からクリップ片が切り取られても，そこから内容物が外に出ることはない。
【００１２】
クリップ片は外筒から完全に切り取られるものであってもよいし，外筒から完全に切り取られるのではなく，その一部を外筒につなげた（連続させた）状態にとどめて，外筒から部分的に切り取られるものであってもよい。
【００１３】
クリップ片は，蓋材とカール部とを一緒に（重ねて）その両側（上下）から挟むもの，蓋材をカール部に押しつけてこれによりカール部との間に蓋材を挟むもの，のいずれであってもよい。いずれにしても，部分的に一旦途中まで剥がされた蓋材は，クリップ片によってカール部に再度簡易に留められて，これにより胴部上端の開口が蓋材によって再封される。
【００１４】
この発明によると，外筒に形成された切取線に沿って外筒から切り取られるクリップ片が，上記カール部から部分的に剥がされた蓋材の縁部を上記カール部に再度留めるために用いられるから，別の部材，たとえば粘着テープなどを用いる必要がない。また，外筒に切取線を形成するだけでよいから，クリップ片を形成するために特殊な加工も必要とされない。低コストで二重容器に再封性を持たせることができる。
【００１５】
外筒に形成された切取線に沿ってクリップ片を切り取ると，クリップ片が切り取られた跡にはクリップ片の外形に沿う形状の孔があく。この発明による二重容器の外筒は，外筒から上記クリップ片が切り取られることで形成される切取孔の内側に設けられる保護片を備えているので，外筒にあけられた切取孔と胴部との間に保護片が介在し，外筒にあけられた切取孔を通じて手などが胴部に直接に触れてしまうことがない。胴部内にたとえ熱湯が注がれているとしても安全性を確保することができる。
【００１６】
上記保護片は，上述のように，クリップ片が切り取られることで外筒に形成される切取孔の内側（クリップ片を区画する外筒上の切取線の範囲の内側）に設けられる。すなわち保護片は胴部と外筒との間の断熱空間に位置する。
【００１７】
保護片は，外筒の内面に密着（接着）して切取孔を閉じるものでもよい。一実施態様では，上記保護片が，上記クリップ片（クリップ片を区画する切取線）の周囲において外筒の内面に接着されている。保護片によって，クリップ片が外筒から切り取られることで形成される切取孔を内側から隙間なく閉じることができるから，二重容器の断熱効果を高める（低下させないようにする）ことができる。
【００１８】
もっとも，保護片によって切取孔を完全には閉じずに，クリップ片（切取孔）と胴部との間に保護片を位置させる（介在させる）にとどめる態様であってもよい。この場合でも，保護片によって，外筒にあけられた切取孔を通じて手などが胴部に直接に触れてしまうことはない。
【００１９】
一実施態様では，上記保護片が上記外筒の縁部に連設されている。たとえば，上記外筒がその両側部を接着することで円筒上に形成されるものであれば，上記外筒の一方の側部の縁部に上記保護片を連設しておくことができる。両側部を接着するときに保護片が連設されている側部を反対側の側部の内側に沿わせることで，上記保護片は円筒状の外筒の内側に位置する。この場合には，クリップ片（クリップ片を区画する切取線）は，上記保護片が連設されている側部と反対側の側部の近くに形成するのが好ましい。
【００２０】
上記外筒の上縁部または下縁部に保護片を連設しておいてもよい。この場合に，上記保護片が上記外筒の内側に折り返され，折り返された保護片が上記外筒に形成されているクリップ片の内側に位置する。この場合には，クリップ片（クリップ片を区画する切取線）は，上記保護片が連設されている外筒の上縁部または下縁部の近くに形成するのが好ましい。
【００２１】
この発明は，上述した二重容器に用いられる外筒も提供する。この発明による外筒は，上縁周端にカール部が形成された筒状の胴部と，上記胴部の下端にその下面を閉鎖するように設けられた底部と，上記カール部に接着され，上記胴部の上面を閉鎖する蓋材とを備える内容器とともに用いられ，上記内容器の胴部の外側との間に断熱空間を形成するように上記胴部に被せられ，かつ固定されるものであって，上記外筒に切取線が形成されており，上記切取線に沿って上記外筒から完全にまたは部分的に切取られて，上記カール部から部分的に剥がされた蓋材の縁部を上記カール部に留めるために用いられるクリップ片，および上記外筒から上記クリップ片が切取られることで上記外筒に形成される切取孔の内側に設けられる保護片を備えている。
【図面の簡単な説明】
【００２２】
【図１】第１実施例の二重容器の斜視図である。
【図２】図１のII−II線に沿う二重容器の一部縦断面図である。
【図３】第１実施例の二重容器を構成する外筒の展開図である。
【図４】第１実施例の二重容器の再封状態の斜視図である。
【図５】変形例の外筒の展開図である。
【図６】さらに他の変形例の外筒の展開図である。
【図７】さらに他の変形例の外筒の展開図である。
【図８】さらに他の変形例の外筒の展開図である。
【図９】第２実施例の二重容器を構成する外筒の展開図である。
【図１０】第２実施例の二重容器の再封状態の斜視図である。
【図１１】第３実施例の二重容器を構成する外筒の展開図である。
【図１２】第３実施例の二重容器の再封状態の斜視図である。
【図１３】第４実施例の二重容器を構成する外筒の展開図である。
【図１４】第４実施例の二重容器の再封状態の斜視図である。
【図１５】第５実施例の二重容器を構成する外筒の展開図である。
【図１６】第５実施例の二重容器の再封状態の斜視図である。
【発明を実施するための最良の形態】
【００２３】
以下，第１実施例から第５実施例を参照して，この発明に係る二重容器を詳細に説明する。
【実施例１】
【００２４】
図１から図４は第１実施例の二重容器を示している。図１は容器の斜視図，図２は図１のII−II線に沿う容器の一部縦断面図，図３は外筒の展開図（ブランク図），図４は再封状態の容器の斜視図である。
【００２５】
二重容器１は，蓋材10と，胴部12および底部13から構成される内容器14と，外筒15とから構成されている。
【００２６】
内容器14の胴部12は上部の径が大きく，下にいくほど径が小さくなる円筒状で，開口する上端が蓋材10によって閉じられている。胴部12の上縁周端部が外側に巻かれ，いわゆるカール部11が形成されている。底部13は円形で，その周端部が下向きに屈曲されている（屈曲部13Ａ）。底部13は胴部12の下面開口内にぴったりと嵌り，胴部12の下端部が内側に折り返され（折り返し部12Ａ），この折り返し部12Ａが底部13の屈曲部13Ａを挟んでいる。底部13の屈曲部13Ａの内外両面と，これを挟む胴部12の下端部の折り返し部12Ａの内面とは接着または熱可塑性樹脂によって溶着されている。
【００２７】
外筒15は弧状に形成されたブランク材（図３）の側部同士を接着して円筒状に形成し，次に下端部を内側に折り曲げる（折り曲げ部分を図２において符号15Ａで示す）。折り曲げ部分15Ａは図２に示すように折り返しても（折り畳んでも）よいし，内側に巻かれたカール部としてもよい。折り返されることで二重になる部分を接着剤で接着してもよい。側部同士の接着に用いられる接着部15Ｂを図３においてドット模様で示す。
【００２８】
外筒15も，内容器14の胴部12と同様に，上部の径が大きく，下にいくほど径が小さくなる円筒状である。この外筒15内に，内容器14をその底部13から入れる（嵌入する）。外筒15の上端が内容器14の胴部12の上縁周端のカール部11の内側のすき間に入り，下端部は胴部12の下端部の外側に沿う（接触する）。外筒15は接着剤によって内容器14に固定される。たとえば外筒15の下端部の折り曲げ部15Ａと胴部12，もしくは外筒15の上端とカール部11，またはこれらの両方を接着することができる。外筒15の下端は内容器14（胴部12）の下端（糸じり）よりも下方に突出していない方がよい。もっとも，外筒15の下端を内容器14の下端よりも下方に突出させて，容器１の全体を外筒15で支持するようにしてもよい。また，外筒15の下端部は折り返さずにそのままストレートにのびるようにしてもよい。いずれにしても外筒15は胴部12の外側に設けられ，胴部12の外面と外筒15の内面との間にすき間（断熱空間）18が設けられる。
【００２９】
蓋材10には，カール部11の上面に蓋材10を接着するためのシーラント層，文字，図形等を印刷するための紙層，上記紙層を保護する保護層などを多層に積層したものが用いられる。形状保持のためのアルミニウム層をシーラント層と紙層との間に積層してもよい。内容器14を構成する胴部12および底部13にはたとえば紙基材とその内面に積層されたポリエチレン・フィルム等の積層構造のものが用いられる。胴部12および底部13を，たとえばポリスチレン（ＰＳ），ポリエチレン（ＰＥ），ポリエチレン・テレフタレート（ＰＥＴ）などを用いて一体的に形成することもできる。外筒15は紙を主強度材とするものが用いられる。紙基材のみで構成してもよいし，その外層にポリスチレン層，ポリエチレン層，ポリエチレン・テレフタレート層を積層したものを用いてもよい。
【００３０】
図１および図３を参照して，外筒15に形成された切取線21Ａ（やや太い破線で示す）によってクリップ片（リクローズ片）21が区画されている。切取線21Ａは，たとえば複数の切込み線を短いつなぎ部でつなげたもの，切込み線を間欠的に結ぶミシン目などによって実現される。図３を参照して，クリップ片21を区画する切取線21Ａは，外筒15を構成するブランク材の一方の側部に近い位置に形成されている。クリップ片21は概略方形であり，その一辺が外向きに弧状の膨らみを持っている。後述するように，クリップ片21の形状は方形に限られず，円形，楕円形，三角形，その他任意の形状とすることができる。
【００３１】
クリップ片21の一辺（外向きに膨らむ一辺と反対側の辺）に，クリップ片21の内側に向かって横向きに途中まで伸びる細長い凹状の切取線21Ｂも形成されている。図４を参照して，切取線21Ｂに沿ってクリップ片21の一部を切り欠くことで，クリップ片21には横向きにのびる溝部21Ｃが形成される。溝部21Ｃの間隔（すき間の大きさ）は，内容器14の胴部12の上縁周端部に形成されているカール部11の厚さよりもやや狭い。
【００３２】
図３に戻って，外筒15を構成するブランク材にはさらに，上記クリップ片21（切取線21Ａ）が形成されている側部と反対側の側部の縁部に，方形の保護片（延長片）16が連設されている。図１を参照して，ブランク材の側部同士を接着して円筒状の外筒15を形成するとき，保護片16がつながっている側部を内側に，その反対側の側部を外側にして側部同士を接着する。保護片16が外筒15の内側に位置し，保護片16とクリップ片21とが重なり合う。保護片16はクリップ片21よりも大きい面積を有しており，このためクリップ片21の全体が保護片16に重なり合う。上述したように外筒15と内容器14との間には断熱空間18が存在する。保護片16はこの断熱空間18に位置する。
【００３３】
切取線21Ａ，21Ｂに沿って外筒15からクリップ片21が切り取られる。外筒15から切り取られたクリップ片21は，途中まで剥がされた蓋材10を元の場所に戻して容器１の開口を再び閉じる（再封する）ときに，上記蓋材10を容器１に簡易に固定（保持）するために用いられる。図４を参照して，外筒15から切り取ったクリップ片21の溝部21Ｃ内に蓋材10の縁部とカール部11とを重ねて一緒に差し込み，クリック片21の溝部21Ｃによって蓋材10とカール部11とを挟む（クリップする）ことで，途中まで剥がされた蓋材10は容器１のカール部10に簡易に留められ，これによって容器１は簡易に再封される。クリップ片21の溝部21Ｃの間隔がカール部11の厚さよりも狭いので，蓋材10とカール11は溝部21Ｃにきつく挟まれる。なお，外筒15は紙製であるから，外筒15から切り取られるクリップ片21も紙製である。このため，クリップ片21を外向きに引っ張ることでクリップ片21を取り外すことは容易である。
【００３４】
容器１を構成する外筒15の一部がクリップ片21として用いられるので，途中まで剥がされた蓋材10を元の場所に戻して容器１の開口を再封するために別途の部材（粘着フィルム，テープなど）を用意する必要はない。外筒15に切取線21Ａ，21Ｂを形成しておくだけでよいから特殊な加工も必要とされない。低コストで容器１の再封機能が実現される。
【００３５】
外筒15からクリップ片21が切り取られることで外筒15には孔15Ｃがあく（以下，切取孔15Ｃと呼ぶ）。上述したように，外筒15上のクリップ片21（クリップ片21を規定する切取線21Ａの範囲）の内側には，クリップ片21よりも大きい面積を持つ保護片16が位置しているので（図１），外筒15からクリップ片21が切り取られて切取孔15Ｃがあくと，保護片16が現れる（図４）。すなわち外筒15からクリップ片21が切り取られることで切取孔15Ｃがあけられても，内容器14の胴部12は露出することがなく，切取孔15Ｃを通して内容器14の胴部12に手などが直接に触れてしまうことがない。容器１に熱湯が注がれている状態であっても安全性を確保することができる。
【００３６】
外筒15内に入れられて重ね合わされる内容器14（その胴部12）によって，保護片16はその内側から支持される。このため，外筒15からクリップ片21が切り取られることで形成される切取孔15Ｃは，保護片16によっておおよそ閉じられる。図５に示すように保護片16の周縁部に接着剤を設けておき（接着範囲を符号16ａで示す），接着剤によって外筒15の内面に保護片16を接着してもよい。切取孔15Ｃをその内側から保護片16によって隙間なく閉じることができ，断熱性が向上する。
【００３７】
図６は第１実施例の変形例を示すもので，図３に相当する外筒の展開図（ブランク図）である。図３に示す展開図とは，クリップ片21を区画する切取線21Ａが外筒15の上端に近い位置に形成されている点，および保護片16がクリップ片21に近い外筒15の上端に連設されている点が異なる。
【００３８】
この変形例では，ブランク材の側部同士を接着して円筒状の外筒15を形成し，次に保護片16を内側に折り返す（図６において折り線を一点鎖線で示す）。折り返された保護片16はクリップ片21の内側に位置し，クリップ片21と保護片16とが重なり合う。この変形例においても，外筒15からクリップ片21が切取られることで形成される切取孔15Ｃが保護片16によって内側から閉じられるので，外筒15からクリップ片21が切り取られても内容器14の胴部12は露出せず，胴部12に直接に手などが触れてしまうことが防止される。
【００３９】
図７に示すように，クリップ片21を区画する切取線21Ａを外筒15の下端に近い位置に形成し，かつ保護片16をクリップ片21に近い外筒15の下端に連設してもよい。内側に折り返される保護片16によって，外筒15からクリップ片21が切取られることで形成される切取孔15Ｃが内側から閉じられる。
【００４０】
外筒15と保護片16とを一つの紙製のブランク材によって構成するのではなく，それぞれ別体のブランク材によって構成してもよい。図８を参照して，保護片16は，クリップ片21（切取線21Ａ）の周囲において外筒15の内面となる面に接着剤によってあらかじめ接着される。この場合には，保護片16は外筒15と同じ素材（すなわち紙製）である必要は必ずしもない（もちろん，同じであってもよい）。保護片16の素材としては，たとえばフイルム等を用いることもできる。
【００４１】
上述したクリップ片21の形状および構造には様々なものが考えられる。クリップ片の形状および大きさに応じて，保護片の形状および大きさは適宜調整される。
【実施例２】
【００４２】
図９および図１０は第２実施例の二重容器を示している。図９は容器を構成する外筒の展開図（ブランク図），図１０は再封状態の容器の斜視図である。第１実施例の容器１と同一の部材には同一の符号を付し，重複した説明を避ける。このことは後述する他の実施例でも同様である。
【００４３】
第２実施例の二重容器２は，外筒15から切取られるクリップ片31の形状および構造が，第１実施例の二重容器１が備えるクリップ片21と異なる。
【００４４】
図９を参照して，クリップ片31を外筒15上に区画する切取線31Ａは，楕円形の形状を持つ。さらにクリップ片31には，そのほぼ中央に上向きの凸部32を形成しかつその両側のそれぞれに凹部33を形成する形状の切込み31Ｂも入れられている。
【００４５】
図１０を参照して，切取線31Ａに沿ってクリップ片31を外筒15から切取り，次に切込み31Ｂを利用してクリップ片31を折り曲げると，切込み31Ｂの凸部32に対応する箇所に矩形の突出部が形成され（図１０において見えない），かつ切込み31Ｂの２つの凹部33に対応する箇所に２つの矩形の突出部33が形成される。クリップ片31の突出部32，33の間に蓋材10とカール部11とを重ねて挟むことで，途中まで剥がされた蓋材10の縁部が容器２のカール部11に簡易に留められ，これにより容器２は再封される。
【００４６】
外筒15からクリップ片31が切り取られることで形成される切取孔15Ｃは，第１実施例と同様に，保護片16によって内側から閉じられる。内容器14の胴部12に手などが直接に触れてしまうことが防止される。
【実施例３】
【００４７】
図１１および図１２は第３実施例の二重容器を示している。図１１は容器を構成する外筒の展開図（ブランク図），図１２は再封状態の容器の斜視図である。
【００４８】
図１１を参照して，クリップ片41を区画する長方形の切取線41Ａが外筒15上に形成されている。クリップ片41にはさらにクリップ片41の長手方向と同じ方向にのびる細長い長方形の差込孔41Ｂがあけられている。また差込孔41Ｂの長辺の一辺には，２つの三角形の突起41Ｃがその先端を差込孔41Ｂに向けて形成されている。三角突起41Ｃが形成されている箇所を除いて，差込孔41Ｂの幅（すき間の大きさ）はカール部11の厚さよりもやや狭い。
【００４９】
クリップ片41が形成されている箇所の近くの外筒15の上端に，保護片16Ａがつながっている。クリップ片41が長方形の形状を持つので，保護片16Ａもこれに合わせて長方形に形成されている。保護片16Ａは内側に折り返されてクリップ片41の内側に重ね合わされる。
【００５０】
図１２を参照して，クリップ片41を外筒15から切取り，クリップ片41の差込孔41Ｂに蓋材10とカール部11を差込んで，差込孔41Ｂによって蓋材10とカール部11とを重ねて挟む。三角突起41Ｃはカール部11の内側のすき間に入れられる。これにより途中まで剥がされた蓋材10がクリップ片41によってカール部11に簡易に留められる。また，三角突起41Ｃをカール部11の内側のすき間に入れることで，クリップ片41をカール部11に安定的に固定することができる。クリップ片41を外筒15から切り取ることで外筒15に形成される切取孔15Ｃは，内側に折り返された保護片16Ａによって閉じられる。
【実施例４】
【００５１】
図１３および図１４は第４実施例の二重容器を示している。図１３は容器を構成する外筒の展開図（ブランク図），図１４は再封状態の容器の斜視図である。
【００５２】
図１３を参照して，第４実施例の容器４の外筒15には，クリップ片51を区画する長方形の切取線51Ａが形成されている。クリップ片51は，やや弧状に形成されている外筒15のブランクと同じ方向に，やや弧状に形成されている。クリップ片51の両端部には，内向きに向かう（互いに向き合う）方向に凸状の切込み51Ｂがそれぞれ形成されている。
【００５３】
クリップ片51が形成されている箇所の近くの外筒15の上端に，保護片16Ｂがつながっている。クリップ片51が長方形の形状を持つので，保護片16Ｂもこれに合わせて長方形に形成されている。保護片16Ｂは内側に折り返されてクリップ片51の内側に位置する。
【００５４】
図１４を参照して，クリップ片51を外筒15から切取り，クリップ片51の両端部を同じ向き（図１４において上向き）に折り曲げると，両端部に形成されている切込み51Ｂによって区画される係止突起部51Ｃが，両端部を折り曲げた向きと逆向き（図１４において下向き）に突出する。両端部の２箇所の係止突起部51Ｃをカール部11の側部に沿わせることでクリップ片51は簡易にカール部11に留められる。途中まで剥がされた蓋材10が，クリップ片51によって容器４のカール部11に簡易に押さえつけられる。
【００５５】
外筒15からクリップ片51が切り取られることで形成される切取孔15Ｃは，外筒15の内側に位置する保護片16Ｂによって閉じられる。
【実施例５】
【００５６】
図１５および図１６は第５実施例の二重容器を示している。図１５は容器を構成する外筒の展開図（ブランク図），図１６は再封状態の容器の斜視図である。
【００５７】
第５実施例の二重容器５のクリップ片61は，外筒15から完全に切り取られずに，その一部が外筒15につながったままとされる点が，外筒15から完全に切り取られる第１〜第４実施例の二重容器１〜４が備えるクリップ片21，31，41，51と異なる。図１５を参照して，第５実施例の容器５の外筒15には，クリップ片61の外縁を規定する切取線61Ａと，クリップ片61の内縁を規定する切取線61Ｂが形成されている。クリップ片61の外縁を規定する切取線61Ａは，外筒15の上端とほぼ平行に横向きにのびる切取線部分と，その両端から外筒15の上端に向けて上向きにのびる切取線部分とから構成される。外筒15の上端に向けて上向きにのびる切取線部分は外筒15の上端にまでは達していない。クリップ片61の内縁を規定する切取線61Ｂは，切取線61Ａの内側に形成されており，上向きに凸状の切取線部分と，凸状切取線部分の両端からそれぞれ横向きにのび，途中で上向きにのびる切取線部分とから構成される。切取線61Ｂの上向きにのびる部分も外筒15の上端にまでは達してない。
【００５８】
クリップ片61の近くの外筒15の上端に，方形の保護片16Ｃがつながっている。保護片16Ｃは内側に折り返されて，クリップ片61と重ね合わされる。
【００５９】
図１６を参照して，切取線61Ａ，61Ｂが形成されている箇所が外筒15から切取られる。切取線61Ａ，61Ｂの上向きにのびる部分によって，クリップ片61の両端部には，一端が外筒15につながったままのヒンジ部61Ｄが形成される。切取線61Ｂの凸状部分によって規定されるクリップ片61の突起部61Ｃとカール部11との間に蓋部10の縁部がきつく挟まれることで，途中まで剥がされた蓋材10が二重容器５のカール部11に簡易に留められる。このように第５実施例の二重容器５のクリップ片61は，外筒15から完全に切り離されずに外筒15と一体とされたままであるので，クリップ片61のみが二重容器５と別体のゴミとなることが防止される。
【００６０】
外筒15からクリップ片61の一部が切り取られることで形成される切取孔15Ｃは，外筒15の内側に位置する保護片16Ｃによって閉じられる。
【００６１】
上述した実施例では，二重容器として円筒状のものを説明したが，二重容器は円筒状のものに限られず，多角筒状のもの，たとえば横断面が８角形，６角形等のものであってもよい。
【符号の説明】
【００６２】
１，２，３，４，５  二重容器
10  蓋材
11  カール部
12  胴部
13  底部
14  内容器
15  外筒
15Ｂ，16ａ  接着部
15Ｃ  切取孔
16，16Ａ，16Ｂ，16Ｃ，16Ｄ  保護片
21，31，41，51，61  クリップ片
21Ａ，31Ａ，41Ａ，51Ａ，61Ａ，61Ｂ  切取線
【図１】
0006303876.tif 000002
【図２】
0006303876.tif 000003
【図３】
0006303876.tif 000004
【図４】
0006303876.tif 000005
【図５】
0006303876.tif 000006
【図６】
0006303876.tif 000007
【図７】
0006303876.tif 000008
【図８】
0006303876.tif 000009
【図９】
0006303876.tif 000010
【図１０】
0006303876.tif 000011
【図１１】
0006303876.tif 000012
【図１２】
0006303876.tif 000013
【図１３】
0006303876.tif 000014
【図１４】
0006303876.tif 000015
【図１５】
0006303876.tif 000016
【図１６】
0006303876.tif 000017